(57)【要約】      （修正有）【課題】臨床所見や従来のマーカーだけからでは予測できなかった糖尿病性腎症患者の腎障害の進展度の予測、更には予後の改善を行う手段を行うことのできる方法及びキットを提供する。【解決手段】前記把握方法では、フォンヴィレブランド因子（ｖＷＦ）切断酵素（ＡＤＡＭＴＳ１３）の量又は酵素活性、好ましくは更にｖＷＦの量を免疫学的手法を用いて分析する。前記把握用キットは、ＡＤＡＭＴＳ１３に特異的に結合する抗体又はその断片を含む。【選択図】なし【特許請求の範囲】
【請求項１】
糖尿病性腎症患者において、フォンヴィレブランド因子切断酵素の量又は酵素活性を分析することを特徴とする、糖尿病性腎症の病態の把握方法。
【請求項２】
更にフォンヴィレブランド因子の量を分析する、請求項１に記載の方法。
【請求項３】
糖尿病性腎症における病態の把握が、腎症の進展度又は予後の把握である、請求項１又は２に記載の方法。
【請求項４】
フォンヴィレブランド因子切断酵素の量の分析を、フォンヴィレブランド因子切断酵素に特異的に結合する抗体又はその断片を使用する免疫学的手法により行う、請求項１に記載の方法。
【請求項５】
フォンヴィレブランド因子切断酵素に特異的に結合する抗体又はその断片を含むことを特徴とする、糖尿病性腎症の病態の把握用キット。
【発明の詳細な説明】
【技術分野】
【０００１】
本発明は、糖尿病性腎症患者の病態、例えば、腎症の進展度（重症度）又は予後の把握方法に関する。
【背景技術】
【０００２】
糖尿病性腎症は糖尿病の３大合併症のひとつである。糖尿病にかかって１０年以上経過している人で、糖尿病のコントロールが悪く、高血糖状態が長い間続いていると、腎臓の糸球体の毛細血管に障害が起きてくる。そのため腎機能が低下して、尿の中に蛋白が出てきたり、高血圧やむくみなど腎炎と似た症状が起こる。進行すると、腎不全から尿毒症となり透析が必要になる。腎臓の中にある糸球体は、血液中の老廃物を尿中に排泄するろ過器の働きをしている。糖尿病で高血糖状態が続くと、糸球体を構成している細かい血管が動脈硬化を起こして固くなり、糸球体の組織の目が粗くなって、ろ過機能が低下する。するとタンパク質が糸球体の網の目を通り抜けて蛋白尿が出たり、尿をつくる働きが低下して老廃物が排泄されなくなり体内にたまり、糖尿病性腎症になる。
【０００３】
糖尿病性腎症は腎生検が困難なことから糖尿病に併発した持続性蛋白尿、腎機能障害、高血圧等の知見から臨床診断がなされてきた。しかし、持続性蛋白尿が出現すると治療が難しく、５〜６年の経過で末期腎不全に陥る場合が多い。そのため、通常の尿試験紙法で尿蛋白が陽性となる前に腎病変を診断して、早期治療を行うことが臨床医学の立場から強く望まれている。約３０年前に、放射線免疫測定法、酵素免疫測定法、ラテックス凝集免疫比濁法、免疫沈降法により尿中の微量アルブミンの測定が行われるようになり、試験紙法による尿蛋白が陰性の早期から糖尿病性腎症患者の診断ができるようになった。しかし、尿中アルブミンは日内変動および日差変動が大きく、１回のみの検査による診断は危険である。更には、微量アルブミン尿の診断には畜尿が必要であり、また一般的には実用的な随時尿を用いての尿アルブミン指数：アルブミン・クレアチニン比が実用的表示法として多用されているが、測定物質と補正物質の排泄動態が両成分とも糸球体血圧により制御されている関係上、補正値は生データの特性を示さなくなることが知られている。
【０００４】
一方、フォンヴィレブランド因子（von Willebrand factor；以下、ｖＷＦと称する）切断酵素［以下、ＡＤＡＭＴＳ１３（ｖＷＦ切断酵素の別称）と称する］は、血栓性血小板減少性紫斑病（thrombotic thrombocytopenic purpura；以下、ＴＴＰと称する）の発症に関与することが近年報告された（非特許文献１）。また血漿からＡＤＡＭＴＳ１３が精製され、ｃＤＮＡクローニングによりその遺伝子が決定された。ＴＴＰでは細小動脈に血小板の凝集塊（血小板血栓）が形成され、血管内に狭くなった部位を多数生じる。この部位を無理に通過した赤血球は機械的に破砕されるため溶血が起こる。これをはじめとし更には各臓器の虚血、あるいは梗塞性障害などによる多彩な症状を惹起し、ＴＴＰは非常に重篤な致死率の高い病態を形成する。現在までに先天性ＴＴＰについてはＡＤＡＭＴＳ１３遺伝子変異の報告がなされ、また後天性ＴＴＰではＡＤＡＭＴＳ１３に対するＩｇＧ型のインヒビターができることが報告されている。血中に放出されて間もない超巨大分子ｖＷＦマルチマー（ultra large vWF multimer；ＵＬ−ｖＷＦＭ）は末梢細小動脈や毛細血管などに移行すると、そこでは絶えず「高ずり応力」が生じており進展伸展構造に転じると推定されている。この進展伸展構造のｖＷＦはＡＤＡＭＴＳ１３の酵素作用を受けやすく、正常人では速やかに切断されるが、先天性あるいは後天性ＴＴＰではＡＤＡＭＴＳ１３の酵素活性が欠如し、ＵＬ−ｖＷＦＭを切断することができず、これを起点として血小板凝集塊が形成され、末梢での動脈血栓とともにＴＴＰを来たすと考えられている。
【０００５】
近年、肝硬変、慢性腎障害、急性炎症、播種性血管内凝固症候群、全身性エリテマトーデスなど、様々な病態におけるＡＤＡＭＴＳ１３の関与が報告され、臓器障害における微小血管血栓にＡＤＡＭＴＳ１３が重要な役割を果たしていることが示唆されている。
【０００６】
すでに腎臓における最小動脈の閉塞はＴＴＰにおいて観察されている。この原因として上記の通り、現在二通りの説がある。一つは、細小動脈の内壁が何らかの原因で障害され、血管内皮細胞の持つ抗血小板機能が失われ、同所で血小板の凝集、消費が進む場合で、もう一つは、互いの血小板をくっつける「分子糊」として知られている血漿ｖＷＦが、これを切断する肝臓由来酵素の活性ＡＤＡＭＴＳ１３が無いために、非常に分子量の大きなＵＬ−ｖＷＦＭが血中に蓄積し、血管内で血小板血栓がどんどんできる状態となるものである。
【０００７】
また、脂質コントロールをしていない糖尿病患者ではＵＬ−ｖＷＦＭが増加しているが、３ヶ月間脂質コントロールをした患者のうち何名かはＵＬ−ｖＷＦＭが減少していることが報告されている（非特許文献２）。このことより、ｖＷＦは血管内皮で合成されるため、脂質コントロールをしていない糖尿病患者でのＵＬ−ｖＷＦＭの増加は内皮傷害更には最小動脈の閉塞を反映していることが示唆されている。このように糖尿病とｖＷＦの関連性は報告されているが、ｖＷＦの切断酵素であるＡＤＡＭＴＳ１３と糖尿病の関連性に関する報告はいまだされていない。
【０００８】
末期腎不全の原因疾患として、糸球体腎炎が漸減しつつあるのに反し、糖尿病性腎症患者の比率・数は年々増加しており、大きな課題となっている。透析腎症患者の予後は一般的に不良であることが多く、透析療法が必ずしも患者の生命予後、ＱＯＬの向上に大きな貢献をもたらしていない現状である。更には糖尿病性腎症のため、末期腎不全に陥り透析療法に導入される患者は年々増加していることから、腎症の進展度を早期に診断することが臨床の現場では望まれている。
【０００９】
【非特許文献１】ジー・ジー・レビー（G. G. Levy）ら，「ネイチャー（Nature）」，（英国），２００１年，第４１３巻，ｐ．４８８−４９４．
【非特許文献２】パシ、ケー、ジェー（Pasi KJ）ら，「トロンボーシス  リサーチ（Thromb Res.）」，（米国），１９９０年，第４１３巻，ｐ．５８１−５９１．
【発明の開示】
【発明が解決しようとする課題】
【００１０】
前記のように、糖尿病性腎症の腎障害の進展度を早期に予測できる方法は確立されていないのが現状である。本発明者は、鋭意研究を重ねた結果、糖尿病性腎症患者において、ＡＤＡＭＴＳ１３量（濃度）、好ましくは、ＡＤＡＭＴＳ１３量（濃度）とｖＷＦ量（濃度）の組み合わせの比を用いることにより、糖尿病性腎症患者における腎の微小血管にできた血栓による腎障害の進展度及び／又は予後予測法が可能であることを見出した。このことは、臨床所見や従来のマーカーだけからでは差別化できなかった糖尿病性腎症の腎障害の進展度の予測、更には予後の改善を行う手段となることを見出し、ここに本発明を完成するに至った。
【００１１】
すなわち、本発明の課題は、臨床所見や従来のマーカーだけからでは予測できなかった糖尿病性腎症患者の腎障害の進展度の予測、更には予後の改善を行う手段を行うことのできる方法及びキットを提供することにある。
【課題を解決するための手段】
【００１２】
前記課題は、本発明による、糖尿病性腎症患者において、フォンヴィレブランド因子切断酵素の量又は酵素活性を分析することを特徴とする、糖尿病性腎症の病態の把握方法により解決することができる。
本発明の把握方法の好ましい態様によれば、更にフォンヴィレブランド因子（ｖＷＦ）の量（濃度）を分析する。
本発明の把握方法の好ましい態様によれば、糖尿病性腎症における病態の把握が、腎症の進展度及び／又は予後の把握である。
本発明の病態把握方法の別の好ましい態様によれば、フォンヴィレブランド因子切断酵素の量の分析を、フォンヴィレブランド因子切断酵素に特異的に結合する抗体又はその断片を使用する免疫学的方法により実施する。
また、本発明は、フォンヴィレブランド因子切断酵素に特異的に結合する抗体又はその断片を含むことを特徴とする、糖尿病性腎症の病態の把握用キットに関する。
【００１３】
本明細書において「フォンヴィレブランド因子切断酵素（ｖＷＦ切断酵素）」とは、フォンヴィレブランド因子（ｖＷＦ）のＡ２ドメインに存在するチロシン（８４２）とメチオニン（８４３）を特異的に切断し、ＡＤＡＭＴＳ１３とも称されるメタロプロテアーゼである。
【００１４】
本明細書における用語「分析」には、分析対象物質（例えば、ＡＤＡＭＴＳ１３、及びｖＷＦ）の存在の有無を判定する「検出」と、分析対象物質の量（濃度）又は活性を定量的又は半定量的に決定する「測定」とが含まれる。
【発明の効果】
【００１５】
糖尿病性腎症のため、末期腎不全に陥り透析療法に導入される患者は年々増加している。本発明によれば、糖尿病性腎症における腎障害の進展度の予測、更には予後の予測が可能であり、従って、患者の経済的・精神的苦痛となる透析療法への移行を減少させることが可能となることが期待される。
【発明を実施するための最良の形態】
【００１６】
［１］本発明の把握方法
本発明方法では、糖尿病性腎症患者における、ＡＤＡＭＴＳ１３量（濃度）及び／又はＡＤＡＭＴＳ１３酵素活性、好ましくはＡＤＡＭＴＳ１３の量（濃度）及び／又はその酵素活性とｖＷＦの量（濃度）との組み合わせを用いることにより、糖尿病性腎症の病態を把握することができる。
本明細書における「糖尿病性腎症の病態の把握」には、糖尿病性腎症における腎症の進展度（重症度）の判定、あるいは、予後の予測が含まれ、更には、適切な治療方針又は治療法の決定に有用な情報となる糖尿病性腎症患者における病態の把握又はモニタリング等も含まれる。
【００１７】
本発明方法では、例えば、糖尿病性腎症患者におけるＡＤＡＭＴＳ１３量（濃度）又はその活性とｖＷＦ量（濃度）との組合せ、例えば、ＡＤＡＭＴＳ１３量（濃度）又はその活性に対するｖＷＦ量の比率の相違を指標として、腎症の進展度の判定及び予後の予測を行うことができる。比率の指標として、ｖＷＦ（濃度）に対するＡＤＡＭＴＳ１３量（濃度）又はその活性の閾値を設定することが可能である。
【００１８】
本発明方法では、糖尿病性腎症患者から、それぞれ検体を採取し、それぞれのＡＤＡＭＴＳ１３濃度及び／又はその活性、及びｖＷＦ濃度を測定した後、測定値を比較することにより、腎症の進展度の判定及び予後の予測を行うことができる。
【００１９】
後述の実施例に示すように、例えば、以下の分類が可能である。
第１群：ｖＷＦ量／ＡＤＡＭＴＳ１３量が、例えば、２未満
第２群：ｖＷＦ量／ＡＤＡＭＴＳ１３量が、例えば、２以上
と分類することができる。なお、前記のｖＷＦ量、ＡＤＡＭＴＳ１３量は、それぞれ、正常値に対する相対値であり、その比（ｖＷＦ量／ＡＤＡＭＴＳ１３量）は、前記相対値に基づく比である。
【００２０】
判定用閾値が予め決定されている場合には、予測対象である被験者に関して、ｖＷＦ量／ＡＤＡＭＴＳ１３量の分析を行うことにより、前記被験者における前記判定及び／又は予測を行うことができる。判定用閾値は、種々条件、例えば、基礎疾患、性別、年齢などにより変化することが予想されるが、当業者であれば、被験者に対応する適当な母集団を適宜選択して、その集団から得られたデータの統計学的処理を行うことにより、正常値範囲又は判定用閾値を決定することができる。
【００２１】
本発明方法において、被検試料としては、例えば、血漿または血清形態の血液が好ましいが、それ以外にも、例えば、細胞組織液、リンパ液、胸腺水、腹水、羊水、胃液、尿、膵臓液、骨髄液、又は唾液等の各種体液を用いることもできる。また、前記血漿は、クエン酸血漿又はヘパリン血漿であることが好ましい。
【００２２】
本発明方法において、ＡＤＡＭＴＳ１３濃度を分析する方法としては、ＡＤＡＭＴＳ１３量を定量的又は半定量的に決定することができるか、あるいは、ＡＤＡＭＴＳ１３の存在の有無を判定することができる限り、特に限定されるものではなく、例えば、抗ＡＤＡＭＴＳ１３抗体又はその断片を用いる免疫学的手法（例えば、酵素免疫測定法、ラテックス凝集免疫測定法、化学発光免疫測定法、蛍光抗体法、放射免疫測定法、免疫沈降法、免疫組織染色、又はウエスタンブロット等）、生化学的手法（例えば、酵素学的測定法）、又はｍＲＮＡ量を測定する分子生物学的手法などを挙げることができる。
【００２３】
ＡＤＡＭＴＳ１３の分析方法として免疫学的手法を用いる場合には、抗ＡＤＡＭＴＳ１３抗体は、公知の方法、例えば、国際公開第２００４／０２９２４２号パンフレットに記載の方法に遵って調製することができ、前記免疫学的測定も、例えば、国際公開第２００４／０２９２４２号パンフレットに記載の方法に従って実施することができる。
【００２４】
ＡＤＡＭＴＳ１３濃度を測定する方法としては、感度及び簡便性から免疫学的方法が好ましい。ここで免疫学的方法とは、ＡＤＡＭＴＳ１３に対する抗体を用いて、ＡＤＡＭＴＳ１３を、例えば、ＥＬＩＳＡ法、ラテックス法、又はイムノクロマトグラフ法で分析する方法である。免疫学的方法としては、例えば、ＡＤＡＭＴＳ１３を標識する競合法、抗体を標識するサンドイッチ法、抗体をコートしたビーズの凝集を観察するラテックスビーズ法、あるいは、金コロイドなどの着色粒子に結合した抗体を用いる方法等、様々な方法があるが、ＡＤＡＭＴＳ１３に対する抗体を用いた方法であれば、本発明の好ましい態様に含まれる。抗体は、モノクローナル抗体でも、ポリクローナル抗体でも良い。また、抗体断片、例えば、Ｆａｂ、Ｆａｂ’、Ｆ（ａｂ’）２、又はＦｖを用いることもできる。
【００２５】
ＡＤＡＭＴＳ１３の酵素活性は、例えば、ＳＤＳ−アガロース電気泳動法を用いた方法［エム・フルラン（M.Furlan）ら，「ブラッド（Blood）」,（米国），１９９７年，第８９巻，ｐ．３０９７−３１０３］、ｖＷＦの基質であるｖＷＦのＡ２ドメインの組み換え抗原を使用したＥＬＩＳＡ法［ホワイトロック・ジェーエル（Whitelock JL）ら，「ジャーナル  オブトロンボーシス  アンド  ヘモステーシス」，（英国），２００４年，第２巻，４８５−４９１］、あるいは、ｖＷＦ分解酵素の基質であるｖＷＦのＡ２ドメインの中のＡｓｐ１５９６−Ａｒｇ１６６８の７３ 残基に相当する合成ペプチドに蛍光基［2-(N-methylamino)benzoyl, Nma］と消光基（2,4-dinitrophenyl, Dnp）を導入した消光性蛍光基質ＦＲＥＴＳ−ＶＷＦ７３を使用した方法［コカメ・ケー（Kokame K）ら「ブリティッシュ  ジャーナル  オブ  ヘマトロジー」,（英国）,２００５年，第１２９巻，９３−１００］により測定することができる。また、特願２００５−１４８７９３号明細書に記載の方法、具体的には、（１）ＡＤＡＭＴＳ１３を含有する可能性のある被検試料と、ｖＷＦ又はその断片を不溶性担体に結合させた固定化基質とを液中で接触させる工程、（２）前記液と不溶性担体とを分離する工程、並びに（３）不溶性担体に残存するｖＷＦ又はその断片、及び／又は、不溶性担体から遊離した液中のｖＷＦ断片を分析する工程を含む分析方法により測定することができる。
【００２６】
また、ｖＷＦ濃度の測定法に関しては、例えば、ヒト血小板とリストセチンコファクターの凝集活性による活性測定方法［アライン・ジェーピー（Allain JP）ら，「ジャーナル  オブ  ラボラトリー  アンド  クリニカル  メディスン（J Lab Clin Med.）」,（米国），１９７５年，第８５巻，ｐ．３１８−３２８］、あるいは、抗ｖＷＦ抗体を使用した免疫測定法［ブラウン・ジェーイー（Brown JE）ら，「トロンボーシス  リサーチ（Thromb Res.）」,（米国），１９８６年，第４３巻，ｐ．３０３−３１１］などを挙げることができ、感度及び簡便性から免疫学的方法が好ましい。
【００２７】
［２］本発明の把握用キット
本発明のキットは、抗ＡＤＡＭＴＳ１３抗体又はその断片を少なくとも含み、異なる２種類以上の抗ＡＤＡＭＴＳ１３抗体を含むことが好ましい。前記抗ＡＤＡＭＴＳ１３抗体は、モノクローナル抗体又はポリクローナル抗体のいずれであることもできる。また、異なる２種類以上の抗ＡＤＡＭＴＳ１３抗体を含む場合には、いずれか一方（第２抗体）を標識抗体とすることもできるし、あるいは、標識化の代わりに、第２抗体に対する抗体に標識を結合させた標識抗体を更にキットに追加することもできる。
【実施例】
【００２８】
以下、実施例によって本発明を具体的に説明するが、これらは本発明の範囲を限定するものではない。
【００２９】
《実施例１：糖尿病性腎症患者におけるＡＤＡＭＴＳ１３の量（濃度）及びｖＷＦの量（濃度）の測定》
糖尿病性腎症患者３５名より、３．８％クエン酸加血漿、血清、及び尿を採取した。ＡＤＡＭＴＳ１３の測定は、ＥＬＩＳＡキット［（株）三菱化学ヤトロン］による抗原測定法により実施した。また、ＡＤＡＭＴＳ１３の基質であるｖＷＦ抗原量の測定は、ＳＴＡ−ＬＩＡテスト［（株）ロッシュ］により実施した。クレアチニンは酵素法により、尿蛋白は試験紙法で測定した。なお、尿蛋白の測定法は定性法であるため、以後の統計を簡便化する目的で、＋／−＝０．５、＋＝１、＋＋＝２、＋＋＋＝３、＋＋＋＋＝４と数値化を行った。更に、超音波を用いて、頚動脈の中内膜肥厚度やプラークの状態を調べ、右内頚動脈ＩＭＴ（intimal-medial thickness）、左内頚動脈ＩＭＴ、プラークスコア（plaque score）を測定した。
【００３０】
各測定結果を表１に、ｖＷＦ／ＡＤＡＭＴＳ１３比と各検査結果のスピアマン相関係数を表２に、それぞれ、示す。
その結果、ｖＷＦに対するＡＤＡＭＴＳ１３（ｖＷＦ／ＡＤＡＭＴＳ１３）の比が２未満の群（第１群）と２以上の群（第２群）で、クレアチニンクリアランス、及び尿蛋白量で２群に有意差を認めた。しかし、右内頚動脈ＩＭＴ、左内頚動脈ＩＭＴ、及びプラークスコアでは２群に有意差を認めなかった。
【００３１】
更に、表２に示すように、ｖＷＦ／ＡＤＡＭＴＳ１３比は、腎障害（細小血管障害）を反映するクレアチニン、クレアチニンクリアランスと強い相関を認めたが、内頚動脈ＩＭＴやプラーク肥厚（大血管障害）とは相関を認めなかった。以上のことより、ｖＷＦ／ＡＤＡＭＴＳ１３比が大きくなると、微小血管内でＵＬ−ｖＷＦマルチマーが増加して、血小板凝集を介した微小血栓が細小血管を詰まらせて腎症を悪化させることが示唆された。
【００３２】
【表１】
2008216137.tif 000002
【００３３】
【表２】
2008216137.tif 000003
【産業上の利用可能性】
【００３４】
本発明は、糖尿病性腎症における腎症の進展度および予後の把握方法の用途に適用することができる。